(57)【要約】【課題】収容量に応じた厚さにすることで保管スペースを有効に利用することができ、書類の閲覧性が良く、収容物の途中での抜き差しが容易なファイルを安価に提供する。【解決手段】２つのパンチ穴を開けたシート状の収容物を綴じるためのファイルであり、一枚のシートを折り曲げて表紙を形成する台紙と、前記台紙に設けた通し穴に差し通して装着する可撓性の軟質プラスチック製の綴じ足と、前記綴じ足を折り曲げて保持することで収容物を押さえておく綴じ具とからなるファイルにおいて、先端部に綴じ足片の先端との着脱が可能でありパンチ穴を通すことができる断面サイズの結合部を備え、綴じ足片の先端と結合することで環状となる補助足片が、綴じ足と一体に成型されている。または一端に前記の結合部を備え、他端には台紙の通し穴と連通するように穴を開けた取付け部を備えた補助足が、台紙と共に綴じ足を差し通すことで装着される。【選択図】  図１
2009039918.tif 000002
【特許請求の範囲】
【請求項１】
２つのパンチ穴を開けたシート状の収容物を綴じるためのファイルであり、一枚のシートを折り曲げて表紙を形成する台紙と、前記台紙に設けた通し穴に差し通して装着する可撓性の軟質プラスチック製の綴じ足と、前記綴じ足を折り曲げて保持することで収容物を押さえておく綴じ具とからなるファイルにおいて、先端部に綴じ足片の先端との着脱が可能でありパンチ穴を通すことができる断面サイズの結合部を備え、綴じ足片の先端と結合することで環状となる補助足片が、綴じ足と一体に成型されていることを特徴とするファイル。
【請求項２】
２つのパンチ穴を開けたシート状の収容物を綴じるためのファイルであり、一枚のシートを折り曲げて表紙を形成する台紙と、前記台紙に設けた通し穴に差し通して装着する可撓性の軟質プラスチック製の綴じ足と、前記綴じ足を折り曲げて保持することで収容物を押さえておく綴じ具とからなるファイルにおいて、一端に綴じ足の先端との着脱が可能でありパンチ穴を通すことができる断面サイズの結合部を備え、他端には前記台紙の通し穴と連通するように穴を開けた取付け部を備え、綴じ足の先端と結合することで環状となる補助足を、台紙と共に綴じ足を差し通すことで装着されることを特徴とするファイル。
【発明の詳細な説明】
【技術分野】
【０００１】
本発明は、紙やプラスチックなどでできたシート状の収容物を、一辺に沿って開けたパンチ穴に可撓性の綴じ足を通して綴じるためのファイルに関するものである。
【背景技術】
【０００２】
書類などを綴じて整理するためのファイルには様々な形式のものがあるが、一辺に沿って２つの定間隔のパンチ穴を開け、この穴に各種の綴じ足を通して綴じる形式のものは、簡単で確実に綴じることができ、収容量の自由度が高いことから最も多く使用されている。
【０００３】
綴じ足の種類は、硬質なものと可撓性あるいは弾性を利用した軟質なものとに分けることができ、硬質なものとしては、台紙から起立したパイプからなる綴じ足と、前記パイプに挿入される棒体が起立した押さえ具とで構成されるパイプタイプや、湾曲した棒状の綴じ足を対向させてリング状とし、一端を台紙に遥動可能に装着してリングの途中を開閉できるようにしたリングタイプが広く知られている。
【０００４】
軟質な綴じ足としては、金属製の薄板やコイルスプリング、軟質プラスチック製のものがある。これらの綴じ足を台紙に装着し、収容物の上から通した綴じ具で収容量に合わせた位置で綴じ足を折り曲げて保持する形式が広く知られている。
【０００５】
コイルスプリングは台紙への装着が複雑になり部品も高価なためコストが掛かり、また綴じ足が円柱状のため厚さをあまり薄くできない。金属製薄板や軟質プラスチック製の綴じ足を台紙の穴に差し込んで装着するものは、構成部品が単純で少なく組み立ても簡単でありフラットファイルとして広く利用されている。金属製薄板の綴じ足は保持力が弱くまた収容物のパンチ穴周囲を痛めやすいため、現在では軟質プラスチック製の平帯状の綴じ足を用いたものが主流となっている。図９に代表的な従来のフラットファイルの構成を示す。１０は台紙、２０は綴じ足、３０は綴じ具を表す。
【０００６】
また、その他の軟質な綴じ足のファイルの例が、特許文献１から特許文献５に示されている。
【０００７】
【特許文献１】実開昭５３−０４４０２１号公報
【特許文献２】特開平１０−３１５６７５号公報
【特許文献３】実開昭５４−０２７７１５号公報
【特許文献４】実開平０７−０１８８８２号公報
【特許文献５】特開平０８−２５８４７７号公報
【発明の開示】
【発明が解決しようとする課題】
【０００８】
前記のパイプタイプは、収容物の途中で抜き差しする場合でも、上側の収容物を押さえ具の棒体に通したままパイプから抜き出すことでパンチ穴の整列を乱すことがないため容易に行うことができる。また丈夫なパイプで保持しているため、収容物の量が多くても安定しており、比較的大容量の目的に使用されている。
【０００９】
前記のリングタイプは、対向した綴じ足に収容物を移動して振り分けることができるため、見開き状態を維持しやすく閲覧性がよい。また振り分けた収容物の間で継ぎ目を開閉できるため途中での抜き差しも容易である。
【００１０】
しかし、パイプタイプ、リングタイプのファイルは共に、想定した最大の収容量に応じたサイズの綴じ足部分を収めておくだけの背幅が必要であり、収容量が少ない場合でも保管スペースを多く必要としてしまう。また、構成部品が複雑で多く、高価になってしまう。
【００１１】
前記のフラットファイルは、安価であり、収容量に合わせて厚さを調節できるので無駄な保管スペースをとることがない。しかし収容物のパンチ穴が開いている一辺を綴じ具で押さえているため、見開き状態では収容物の復元力で閉じてしまいやすく、維持しておくには綴じ代付近で折り目を付けなければならず収容物が傷みやすい。また、綴じ代部に余白が十分とられていないと付近の内容が見えにくくなってしまう。
【００１２】
また、収容物の途中で抜き差しする場合は、上側の収容物を一旦綴じ足から抜き出す必要があるため、特に前述のように綴じ代付近で折り目が付けられている場合は、外している間にパンチ穴の整列が乱れてしまいやすく、再度差し入れるのに手間取ってしまうことが多い。
【００１３】
特許文献１に示されるファイルは、リングタイプファイルの綴じ足を可撓性のプラスチック製として構造を単純化したものであるが、軟らかな綴じ足に通すだけでは収容量が多くなると保管や持ち運び時にたわんでしまい安定して保持できなくなり、更には綴じ足同士の結合部が外れる恐れもある。また綴じ足を強くしてしまうと、表紙を閉じても反力で開いてしまうようになり実用的ではない。
【００１４】
特許文献２および特許文献３に示されるファイルは、フラットファイルにおける閲覧性の課題を解決しようとするものであり、綴じ具で押さえることがないため綴じ足に沿って収容物を移動させることができ、見開き状態の維持やパンチ穴付近の閲覧性は良い。しかし軟らかな綴じ足に通すだけで押さえがないため収容物の重さでたわみやすく、少量の収容にしか適さない。また、収容物の途中で抜き差しする場合の課題は解決できない。
【００１５】
特許文献４に示されるファイルは、スプリング式の綴じ足を綴じ具で保持する形式のファイルに対して、綴じ足に並列してスプリングを追加したものであり、綴じ足と追加したスプリングの先端を結合して、収容物を追加したスプリング側に移動させることで途中での抜き差しを容易にしている。しかし、部品数が多くなり、更に台紙との組み立て工数も増えるためコスト高になってしまう。
【００１６】
特許文献５に示されるファイルは、フラットファイルの綴じ足の途中に連結手段を設けて着脱自在に分割できるようにして、収容物の途中での抜き差しを容易にしようとしたものであるが、この形式では一旦綴じ具を緩めて、抜き差ししたい箇所に綴じ足の分割部がくるように収容物をずらした後、再度綴じ具を締めてから綴じ足を分割するという手順が必要でありかえって手間がかかってしまう。
【００１７】
本発明はかかる事情を鑑みてなされたものであり、その目的は、収容量に応じた厚さにすることで保管スペースを有効に利用することができ、書類の閲覧性が良く、収容物の途中での抜き差しが容易なファイルを安価に提供することにある。
【課題を解決するための手段】
【００１８】
２つのパンチ穴を開けたシート状の収容物を綴じるためのファイルであり、一枚のシートを折り曲げて表紙を形成する台紙と、前記台紙に設けた通し穴に差し通して装着する可撓性の軟質プラスチック製の綴じ足と、前記綴じ足を折り曲げて保持することで収容物を押さえておく綴じ具とからなるファイルにおいて、請求項１では、先端部に綴じ足片の先端との着脱が可能でありパンチ穴を通すことができる断面サイズの結合部を備え、綴じ足片の先端と結合することで環状となる補助足片が、綴じ足と一体に成型されていることを特徴とするものである。
【００１９】
請求項２では、前記の構成からなるファイルにおいて、一端に綴じ足の先端との着脱が可能でありパンチ穴を通すことができる断面サイズの結合部を備え、他端には台紙の通し穴と連通するように穴を開けた取付け部を備え、綴じ足の先端と結合することで環状となる補助足を、台紙と共に綴じ足を差し通すことで装着されることを特徴とするものである。
【発明の効果】
【００２０】
本発明のファイルは、収容量に合わせて厚さを調節できるので、収容量の多少にかかわらず無駄な厚みを必要とせず、保管スペースを有効に利用することができることや、収容量が増えても、綴じ具で収容物を押さえて保持するため、保管、持ち運びの時でも安定して綴じておけるという、従来のフラットファイルの長所をそのまま受け継ぎつつ、閲覧の際は綴じ足と補助足の先端を結合して環状にすることで、環の中で収容物を移動することができるため見開き状態の維持が容易で、綴じ代付近も良く見える。
【００２１】
更に、綴じ足側と補助足側とに収容物を振り分けておいて間の結合を外せば、途中での抜き差しも容易に行うことができる。
【００２２】
前述のように機能を付加していながらも従来のフラットファイルに対して請求項１のファイルでは、綴じ足のサイズがやや大きくなるだけで部品点数は変わらず、台紙との組み立て工数も変わらないため、コスト上昇は微小に抑えられる。
【００２３】
請求項２のファイルでは、綴じ足と補助足とを別体としているため、補助足があるものとないものとを作り分けることができ、収容物の内容や目的によって使い分けることができる。また、部品点数は増えるものの、台紙と補助足の穴を揃えているため綴じ足を同時に通すことができ、組み立て工数はほぼ変わらず、コスト上昇を抑えられる。
【発明を実施するための最良の形態】
【００２４】
本発明の実施例を図面に基づいて説明する。
【実施例１】
【００２５】
図１は実施例１のファイル全体の構成を示す斜視図であり、図２は図１のＡ−Ａ部の断面を示す。構成部品は、ファイル本体となる台紙１０と、台紙１０に装着される２つの綴じ足２０、および収容物を押さえて止めるための綴じ具３０とからなる。
【００２６】
台紙１０は、一枚のシート材に折り目を付けることで、表表紙１１、背表紙１２、裏表紙１３、および背表紙と裏表紙の間を内側に折りたたんで形成した綴じ代支持部１４とを構成する。綴じ代支持部１４には綴じ足２０を通して装着するための通し穴１５が開けられている。
【００２７】
綴じ足２０は、可撓性の軟質プラスチックで平帯状に成型されており、中央の抜け止め片２３をはさんで、一方に綴じ足片２１と他方に補助足片２２とを一体で構成する。図２に示すように綴じ代支持部１４の通し穴１５に通して台紙１０に装着され、抜け止め片２３は通し穴１５よりも大きくして、綴じ足片２１が引っ張られても台紙から抜けることなく位置決めできるようにする。
【００２８】
綴じ足片２１には、綴じ具３０で保持したときの滑り止めとなる係止溝２４が形成されている。
【００２９】
補助足片２２は、台紙１０に装着された際にパンチ穴の間隔で背表紙を横切るように位置し、先端は綴じ足片２１の先端と容易に着脱できるような結合部２５を形成しており、結合部２５はパンチ穴を通過させることができる断面サイズとなっている。
【００３０】
台紙１０を閉じるとき補助足片２２は折り曲げられるが、反力が強くて表表紙１１が浮いてしまう場合は、要所に薄肉のヒンジ部２６を設けるとよい。
【００３１】
結合部２５の形式はいろいろと考えられるが、一例を図３に示す。ａ）は綴じ足片２１の先端を補助足片２２の端面から軸方向に差し込むもので、抜き差しに節度をもたせるため、綴じ足片２１側に突起２１−ａと補助足片２２側に穴２２−ａを設けており、お互いに嵌り合う。抜き差し操作は容易であるが、引き抜き荷重をあまり大きくはできない。
【００３２】
図３のｂ）は綴じ足片２１に設けた穴２１−ｂと補助足片２２に設けた突起２２−ｂとを軸に垂直方向に差し込むもので、綴じ足片２１の先端は補助足片２２の裏から開けられた溝２２−ｃに収まって支持される。軸方向に引っ張られても抜けることなく、また結合したとき綴じ足片２１および補助足片２２を環状に曲げた反力で互いに押し付けあうため、意図せず外れることがない。
【００３３】
綴じ具３０は従来のフラットファイルと同じものを使用することができ、収容物４０の上から綴じ足片２１に通して押さえておく押さえ板３１と、綴じ足片２１を曲げた状態に保持しておく狭持駒３２とで構成される。押さえ板３１には、綴じ足片２１の係止溝２４と噛み合う係止山３３が形成されている。
【００３４】
綴じ具３０については、ここでは最も一般的な形式を示しているが、押さえ板３１の形状や狭持駒３２の動作のし方、および綴じ足片２１の曲げ方向を含めて他にも様々な形式のものがあり、綴じ足片２１と適合する限り、いずれの形式でも使用可能である。
【００３５】
次に本ファイルの使用方法を説明する。保管、持ち運び時など通常収容物を綴じておく場合は、普通のフラットファイルと同じように扱うことができる。すなわち綴じ代支持部１４から突き出た綴じ足片２１に収容物４０のパンチ穴を通して束ねておき、その上から綴じ具３０を通して収容物４０を押さえたまま、狭持駒３２で綴じ足片２１を曲げた状態で保持する。綴じ足片２１が曲がりやすい向きと狭持駒３２が押さえる向きとが直交しているが綴じ足片２１が根元で捩れながら曲がるため問題なく保持することができる。この時、綴じ足片２１の係止溝２４と押さえ板３１の係止山３３とが勘合して緩むことを防止する。
【００３６】
ファイルの内容を参照しながら作業する場合など、見開き状態を維持して閲覧するときは、図４に示すように、綴じ具３０の保持を開放し、綴じ足片２１と補助足片２２の先端同士を結合して環状とする。見開き箇所の上側の収容物４１を補助足片２２側に移動することで見開き状態を維持することができ、綴じ代部分も良く見えるようになる。
【００３７】
収容物４０の途中で書類４２を抜き差しする場合は、図５に示すように収容物４０を綴じ足片２１側と補助足片２２側とに振り分けておいて、綴じ足片２１と補助足２２との結合を解くことで、他の収容物を取り外すことなく、途中の書類４２のみを抜き差しすることができる。
【００３８】
綴じた状態に戻すには、再度綴じ足片２１と補助足２２とを結合して、上側の収容物４１と綴じ具３０を綴じ足片２１側に移し、綴じ足片２１と補助足２２との結合を解いてから綴じ具３０で保持する。
【実施例２】
【００３９】
次に、本発明の実施例２について説明する。本実施例は実施例１に対して、綴じ足２０の形状を変更したものである。図６に示すように綴じ足片２１を従来のフラットファイルと同じように縦方向に曲がりやすい向きとしている。こうすると綴じ具３０を留めるとき狭持駒３２の動きを滑らかにすることができる。
【００４０】
綴じ足片２１と補助足片２２を結合する際は綴じ足片２１を捻って行う。
【００４１】
このタイプで上下２つの綴じ足２０を共通化するには、図6に示すような同じ方向に折り曲げるタイプの綴じ具３０を使うか、また反対方向に折り曲げる場合は綴じ足片２１の表裏両面に係止溝を設ける必要がある。
【実施例３】
【００４２】
次に、本発明の実施例３について説明する。図７に示すように、補助足５０を綴じ足２０とは別体としたものである。綴じ足２０は、先端を補助足５０先端の結合部５３に適応する形状とするだけで、他は従来のフラットファイル用と同じものが使用できる。また、台紙１０と綴じ具３０も従来のフラットファイル用をそのまま使用できる。
【００４３】
補助足５０は、取付け部５１、バンド部５２、および結合部５３を構成しており、バンド部５２がパンチ穴の間隔となるように台紙に取り付けたとき、取付け部５１には台紙１０の通し穴１５と連通するように穴が開いている。そのため、台紙１０と補助足５０とを重ねておき、綴じ足２０を同時に通して装着することで、組み立て工数の増加を抑えることができる。補助足５０を表裏共通で使用できない場合は図７に示すように、取付け部５１の穴を３つ開けておくことで、上下の綴じ足２０が対称に取り付けられていても、共通の部品を使用することができる。
【００４４】
前述のように、台紙１０、綴じ足２０、綴じ具３０を、従来のフラットファイル用と同じものが使用できるため、補助足５０があるものとないものとを作り分けることができる。また、補助足５０を付属品としておき、必要に応じて後付けすることもできる。
【実施例４】
【００４５】
次に、本発明の実施例４について説明する。図８の上側に示すように、実施例３と同じく綴じ足２０と補助足５０とを別体としつつ、綴じ足２０の向きを横方向としたものである。
【００４６】
綴じ足２０をこの向きにすると、綴じ具３０で留めるときに綴じ足２０を捻りながら曲げる必要はあるが、補助足５０と結合して環状とするときは捻る必要がなく素直に曲がるため、書類の移動が滑らかとなる。
【００４７】
本実施例でも補助足５０があるものとないものとを作り分けることができるが、綴じ足２０の向きの縦と横、両方に対応した通し穴１５を台紙１０に開けておくことで、補助足５０がない普通のフラットファイルとするときは、図8の下側に示すように綴じ足２０のみを綴じ具３０の動きが滑らかとなる縦方向に取り付け、補助足５０がある場合は図８の上側に示すように書類の移動が滑らかとなる横方向に取り付けるといった使い分けができる。もちろん補助足５０がないときに綴じ足２０のみを横方向に取り付けることも可能である。
【００４８】
以上は本発明の実施例について説明したものであり、各部の構成および形状は、特許請求の範囲に記載された趣旨を満たす範囲において適宜に変更が可能である。
【図面の簡単な説明】
【００４９】
【図１】本発明の実施例１の構成を示す斜視図
【図２】本発明の実施例１を示す図１のＡ−Ａ断面図
【図３】本発明の実施例の部品形状例を示す部分拡大図
【図４】本発明の実施例１の使用方法を示す正面図
【図５】本発明の実施例１の使用方法を示す正面図
【図６】本発明の実施例２を示す斜視図
【図７】本発明の実施例３を示す斜視図
【図８】本発明の実施例４を示す斜視図
【図９】従来の構成を示す斜視図
【符号の説明】
【００５０】
１０    台紙
１１    表表紙
１２    背表紙
１３    裏表紙
１４    綴じ代支持部
２０    綴じ足
２１    綴じ足片
２２    補助足片
２３    抜け止め片
３０    綴じ具
３１    押さえ板
３２    狭持駒
４０    収容物
５０    補助足
【図１】
2009039918.tif 000003
【図２】
2009039918.tif 000004
【図３】
2009039918.tif 000005
【図４】
2009039918.tif 000006
【図５】
2009039918.tif 000007
【図６】
2009039918.tif 000008
【図７】
2009039918.tif 000009
【図８】
2009039918.tif 000010
【図９】
2009039918.tif 000011